(57)【要約】【課題】  清掃機が前進する時に、絨毯やフロアーといった被清掃面上の大きなごみをダストホッパに取付けられたシールゴムが引きずらない様に工夫し、且つ、逆走行時にはシールゴムが逆くの字状に折れ曲がるのを防止すると共に、吸引ファンによって吸引されるごみが、ダストホッパ内に堆積しているごみを舞い上げないように工夫した清掃機用ダストホッパを提供すること。【解決手段】  回転ブラシ５を回転することにより、被清掃面ＦＲより掻き上げたごみをダストホッパ１０に掃き込むように構成した清掃機１において、ダストホッパ１０の入口１０Ｂの部分に先端部が被清掃面ＦＲに接するように、シールゴム１２を斜め下方に傾斜させて取付け、このシールゴム１２の先端接地面部分に複数本の切れ目１５…を並設形成する。【選択図】    図１
2007097638.tif 000002
【特許請求の範囲】
【請求項１】
絨毯やフロアーといった被清掃面上を走行させながら回転ブラシを回転させることにより、被清掃面よりごみを掻き上げてダストホッパに掃き込むように構成した清掃機において、
ごみが掃き込まれるダストホッパの入口部分に、板状に造ったシールゴムを先端が被清掃面に接するように斜め下方に傾斜させて取付け、このシールゴムの先端接地面部分には、横幅方向に間隔をあけて接地面に向けて複数本の切れ目を並設したことを特徴とする清掃機用ダストホッパの構造。
【請求項２】
前記シールゴムの先端接地面部分に、断面を略円形状又は略楕円形状に形成したＲ部を設けたことを特徴とする請求項１に記載の清掃機用ダストホッパの構造。
【請求項３】
被清掃面に対するシールゴムの接地角度が、少なくとも２５゜乃至３５゜の範囲内で、好ましくは約３０゜に構成されていることを特徴とする請求項１又は２に記載の清掃機用ダストホッパの構造。
【請求項４】
前記シールゴムの肉厚がダストホッパ側の取付部から先端に向けて段階的に、又は、徐々に薄くなるように構成されていて、最も薄い先端側部分に複数本の切れ目が並設されていることを特徴とする請求項１、２又は３に記載の清掃機用ダストホッパの構造。
【請求項５】
絨毯やフロアーといった被清掃面上を走行可能に構成した車体に、ダストホッパと、モータによって駆動回転して被清掃面上のごみを掻き上げることができる回転ブラシと、掻き上げられたごみを上記ダストホッパ内に吸引することができる吸引ファンと、ダストホッパを経て吸引ファン側に吸引回収されて来るダストを濾過するフイルターを設けた清掃機であって、
上記ダストホッパの内部上側部分に、ダストホッパ内部の吸引通路を実質的に狭めることができ、且つ、上記吸引ファンの吸引作用を受けてこの狭められた吸引通路を通って吸引回収されるごみのうち、その吸引途中でダストホッパ側に落下するごみを受け止めて堆積させることができる上段収納室を設けたことを特徴とする清掃機用ダストホッパの構造。
【発明の詳細な説明】
【技術分野】
【０００１】
本発明は、ホテルや工場等の床に敷かれた絨毯やフロアーを清掃する清掃機に用いて好適なダストホッパに関するものである。
【背景技術】
【０００２】
上記清掃機用のダストホッパに関する技術に付いては、従来より、例えば特許文献１に見られる「床面清掃機用紐絡み防止装置」や、特許文献２に見られる「床面清掃車用ダスト回収装置」、或いは、特許文献３に見られる「掃除機における掻き戻し防止兼塵埃掬い上げ装置」等が存在する。
【０００３】
上記各特許文献に記載されている発明の技術内容を説明すると、特許文献１には、ごみを取り込むダストホッパが清掃機内に装着され、ダストホッパの下側には板状のシールゴムが斜め下方に向けて取付けられると共に、ブラシで掻き上げた重いごみをダストホッパ内に落下させ、軽いごみはフイルタで取り除き、清浄空気を外部に放出するように構成した床面清掃機が記載されている。
【０００４】
また、特許文献２には、特許文献１に記載のものと同様の装置が記載されているが、特に、従来例を示した図９には、平坦なシールゴムがダストホッパの底板から斜め下方に向けて取付けた構成が示されている。
【０００５】
更に特許文献３には、横幅の狭いシールゴム（フラップ片）を多数Ｕの字状に取付け、床面上のごみをシールゴムの変形により後方に送れる様に構成した装置が示されている。
【特許文献１】実開昭６３−３０９４４号公報
【特許文献２】実開昭６３−３９３６５号公報
【特許文献３】実公昭４８−１３１７５号公報
【発明の開示】
【発明が解決しようとする課題】
【０００６】
上記特許文献１に記載の清掃機では、長方形のシールゴムがダストホッパの横幅全体に取付けられていて、清掃時にはシールゴムが撓んでほとんどのごみがシールゴムの下をくぐり抜けてダストホッパの入口側に送られ、その後、ブラシでダストホッパ内に掻き上げられることになるが、図５に示すように、大き目のごみＺをシールゴムＹが床面ＦＲ上を引きずってしまうため、シールゴムＹをくぐり抜けられなくなってしまって、ダストホッパＸの入口Ｘａ側に来ないことがあった。
【０００７】
更に上記特許文献１に記載の清掃機において、清掃機本体が逆走する場合は、図６に示すようにシールゴムＹが逆くの字状に折れ曲がってしまって、シールゴムＹの上面に付着したごみＤＳが清掃した床面ＦＲに擦り付けられてしまう問題があった。更には、ブラシが掻き上げたごみがダストホッパＸ内に堆積しているごみの上を通過する時に、再度舞い上げてしまって、集塵効率を低下させてしまう問題もあった。
【０００８】
また、上記特許文献２に記載の清掃機には、シールゴムに関して上述した特許文献１と同様の問題点を備える一方、当該清掃機はブラシがゴミを掻き上げる方向と、ゴミを吸引する方向とが左右異なる方向に設けられているため、ダストを収集するための効率が悪く、且つ、清掃機が大型化してしまう問題があった。
【０００９】
更に上記特許文献３に記載されている清掃機の場合は、分割された多数のフラップ片を取付ける作業が容易でなく、また、各フラップ片が断面Ｕ字状に形成されているため、ブラシで掃いたごみが床面とフラップ片の間に入ってしまって、床面をきれいに清掃できない問題があった。
【００１０】
そこで本発明の技術的課題は、清掃機が前進する時に、絨毯やフロアーといった被清掃面上の大きなごみをダストホッパに取付けられたシールゴムが引きずらない様に工夫し、且つ、逆走行時にはシールゴムが逆くの字状に折れ曲がるのを防止すると共に、吸引ファンによって吸引されるごみが、ダストホッパ内に堆積しているごみを舞い上げないように工夫した清掃機用ダストホッパを提供することである。
【課題を解決するための手段】
【００１１】
（１）  上記の技術的課題を解決するために、本発明の請求項１に係る発明は、絨毯やフロアーといった被清掃面上を走行させながら回転ブラシを回転させることにより、被清掃面よりごみを掻き上げてダストホッパに掃き込むように構成した清掃機において、ごみが掃き込まれるダストホッパの入口部分に、板状に造ったシールゴムを先端が被清掃面に接するように斜め下方に傾斜させて取付け、このシールゴムの先端接地面部分には、横幅方向に間隔をあけて接地面に向けて複数本の切れ目を並設したことを特徴としている。
【００１２】
（２）  また、本発明の請求項２に係る発明は、前記シールゴムの先端接地面部分に、断面を略円形状又は略楕円形状に形成したＲ部を設けたことを特徴としている。
【００１３】
（３）  更に、本発明の請求項３に係る発明は、被清掃面に対するシールゴムの接地角度が、少なくとも２５゜乃至３５゜の範囲内で、好ましくは約３０゜に構成されていることを特徴としている。
【００１４】
（４）  更に、本発明の請求項４に係る発明は、前記シールゴムの肉厚がダストホッパ側の取付部から先端に向けて段階的に、又は、徐々に薄くなるように構成されていて、最も薄い先端側部分に複数本の切れ目が並設されていることを特徴としている。
【００１５】
（５）  そして、本発明の請求項５に係る発明は、絨毯やフロアーといった被清掃面上を走行可能に構成した車体に、ダストホッパと、モータによって駆動回転して被清掃面上のごみを掻き上げることができる回転ブラシと、掻き上げられたごみを上記ダストホッパ内に吸引することができる吸引ファンと、ダストホッパを経て吸引ファン側に吸引回収されて来るダストを濾過するフイルターを設けた清掃機であって、上記ダストホッパの内部上側部分に、ダストホッパ内部の吸引通路を実質的に狭めることができ、且つ、上記吸引ファンの吸引作用を受けてこの狭められた吸引通路を通って吸引回収されるごみのうち、その吸引途中でダストホッパ側に落下するごみを受け止めて堆積させることができる上段収納室を設けたことを特徴としている。
【００１６】
上記（１）で述べた手段によれば、シールゴムに所定間隔で接地面に向けて切れ目を入れることで、シールゴムが撓みやすくなり、且つ、切れ目があるので大き目のごみがシールゴムをくぐり易くなる。その結果、大きなごみがシールゴムで引きずられることがなくなり、シールゴムの下をくぐってホッパーの入口側に送られるので、回転ブラシで掻き上げることが可能になる。また、石などの硬いものの場合に、引きずりによる床面の損傷を防止することができる。
【００１７】
上記（２）で述べた手段によれば、シールゴムの先端接地面の部分にＲ部が形成されているため、清掃機を逆走する場合にシールゴムが被清掃面上を滑り易くなり、その結果、逆走時にシールゴムが逆くの字状に折れ曲がることがなくなって、シールゴム上面に付着したごみを清掃した面に擦り付けてしまう問題を解消することができる。
【００１８】
上記（３）で述べた手段によれば、シールゴムの被清掃面との接地角度を、好ましくは約３０゜になるように構成したため、シールゴムの折り曲がりを無くすことができると共に、シールゴムの上面に付着しているごみを、清掃を済ませた被清掃面に擦り付ける問題を解消することができる。
【００１９】
上記（４）で述べた手段によれば、シールゴムの先端部が薄く形成されたのでスムースに撓み易くなり、更に、薄い部分に切れ目があるのでごみを回転ブラシ側に送り易くなるため、被清掃面に多少の凹凸があったとしても、シールゴムをこれに追従させることを可能にする。
【００２０】
上記（５）で述べた手段によれば、ダストホッパを、その内部上側部分に上段収納室を設けた上下２段構造にして、上段側を吸引したごみが落下して堆積する収納部と成し、下段側をブラシが掻き上げたごみが通過する通路と成るように構成すると共に、通路の入口側を狭く構成することにより、ごみの受部と新たなごみが掻き上げられる通路を区分したので、従来例の様に堆積したごみの上を新たなごみが通過する時に再度舞い上がってしまうことがなく、ダストを効率良く集塵することができる。
【発明の効果】
【００２１】
以上述べた次第で、本発明に係る清掃機用ダストホッパの構造によれば、清掃機が前進する時にシールゴムが大きなごみを引きずる問題と、逆走時にシールゴムが逆くの字状に折れ曲がる問題を解消することができ、更に、被清掃面に多少の凹凸があったとしても、シールゴムをこれに追従させることができるため、回転ブラシが掻き上げたごみをスムースにダストホッパに掃き込んで収集することができると共に、一旦、ダストホッパ内に収集したごみの舞い上がり（再飛散）を防止することができるため、ホテルや工場等の床に絨毯やフロアーをきれいに、また周囲の環境を汚染することなく衛生的に清掃できる利点を発揮できるものであって、全体がコンパクトで操縦性に優れた清掃機を提供することができる。
【発明を実施するための最良の形態】
【００２２】
以下に、本発明の実施の形態を図面と共に説明すると、図１は本発明に係るダストホッパを備えた清掃機の内部構造を説明した側面図、図２はダストホッパの側断面図で、図３はその外観を示した斜視図、図４は本発明によるごみの収集状態を説明した側断面図であって、図１において１は床面清掃機で、１Ａはその車体（機体）、１Ｄは運転用ハンドル、２はモータ（図示省略）によって駆動回転される後輪、３は前輪を示す。
【００２３】
また、４Ｈは車体１Ａ内に設けた集塵ボックスで、４はその吸塵ダクト、６はフイルター、７は吸引ファン、８はバッテリを示し、更に、５は車体１Ａの底部中央部分に取付けたロールタイプの回転ブラシで、この回転ブラシ５は、モータ（図示省略）によって車体１Ａの進行方向に対向する方向（図１において時計回転方向）に回転して、絨毯やフロアーといった被清掃面ＦＲ上のごみＤＡを斜め前方に掻き上げることにより、車体１Ａの前部底面部分に取付けたダストホッパ１０の内部に、この掻き上げたごみＤＳを掃き込むように構成されている。
【００２４】
上記のダストホッパ１０は、図１及び図４に示すように、車体１Ａの前部底面部分に設けた収納ケース９に対して、車体１Ａの横方向から図３に示した矢印ＳＫ方向に抜き差し自在（嵌め込み自在）に構成されている。図４において、９Ｔと９Ｂは収納ケース９の底面板と上面板で、上面板９Ｂには左右２つのダスト吸引口９Ａ（一方は省略）が突設されていて、この吸引口９Ａに前述した集塵ボックス４Ｈに設けられている吸塵ダクト４の先端部が接続されている。
【００２５】
更に図中、９Ｃは前記収納ケース９を構成する上面板９Ｂの末端部分を、上記回転ブラシ５の方向に向けて斜め下方に屈折形成することにより構成した上面ガイド板を示すものであって、このように構成された収納ケース９の内部に嵌め込み自在に構成されたダストホッパ１０は、図１乃至図４に示すように、上面を開口した上面口１０Ａと成し、一側面にはごみ掃き込み用の入口１０Ｂ（掃き込み口）を横長に開口形成した、略ケース体形状に造られている。
【００２６】
更に図中、１１は上記ダストホッパ１０の内部を上下２段式と成すように、ダストホッパ１０の内部に取付けた上段収納部を示す。この上段収納部１１は、横長に形成したダストホッパ１０の内部を、上面を開口した上段収納室１１Ｈと、前記入口１０Ｂに通じる吸引通路を兼ねるダスト掃込み室１０Ｈの、上下２室に区画することができるように構成されている。
【００２７】
１１Ｔは上記上段収納部１１の上方に屈曲形成した先端縁で、この先端縁１１Ｔとダストホッパ１０の内側面との間隔が、前記入口１０Ｂから上面口１０Ａに至る断面略Ｌ字状の狭い吸引通路に成っていて、前記吸引ファン７の回転による吸引作用が、フイルタ６、集塵ボックス４Ｈ及び吸引ダクト４を通して、上記ダストホッパ１０内の狭い吸引通路１０Ｆから狭いダスト掃込み室１０Ｈ及び入口１０Ｂに作用する仕組みに成っている。
【００２８】
従って、ダスト掃込み室１０Ｈと入口１０Ｂには、狭い吸引通路１０Ｆを通して吸引ファン７の吸引力が強く作用するため、前記ブラシ５の回転によって掻き上げられたごみＤＳは、この強い吸引力を受けてダスト掃込み室１０Ｈに残ったり堆積したりすることなく、その殆どが吸塵ダクト４を通って吸引ファン７側に吸引されて、綿ごみのような軽いごみをフイルター６で捕集し、重いごみＤＣをダストボックス４Ｈに回収する一方、吸引ファン７では吸引しきれずにダストホッパ１０に降下する比重の重いごみＤＢを、上記上段収納部１１の収納室１１Ｈに回収（堆積）させることができるため、従来のように、ダスト掃込み室１０Ｈ内に堆積していたごみが、新たに吸引されて来るごみの通過時に舞い上がる問題を解決することができる。
【００２９】
更に図中、１０Ｃは上記ダストホッパ１０の入口１０Ｂの底面板を、斜め下方に突出することにより形成した取付板、１２はこの取付盤１０Ｃと押え板１３、及び、複数本の取付ボルト１４…を用いて、上記入口１０Ｂの底面部に交換自在に取付けられるシールゴムであって、このシールゴム１２は先端接地面が図１に示す如く前記回転ブラシ５の直前の被清掃面ＦＲに接するように、斜め下方に傾斜させて取付けられている。
【００３０】
例えばウレタン等の合成ゴムで造られたシールゴム１２は、上記ダストホッパ１０と同じ横長の板状に形成されていて、回転ブラシ５の回転によって被清掃面ＦＲより掻き上げられたごみＤＳを、前述した上面ガイド板９Ｃと共にダストホッパ１０の入口１０Ｂにガイドするものであって、その先端接地面の被清掃面ＦＲに対する接地角度θは、２５゜乃至３５゜の範囲内で、好ましくは約３０゜に設定されている。
【００３１】
また、シールゴム１２の肉厚は、根端取付部１２Ｋより先端部に向かって段階的に、又は、徐々に薄くなるように構成されていて、最も厚い根端取付部１２Ｋの部分が約３ｍｍ、最も薄い先端部１２Ｓが約１ｍｍの厚さに形成され、且つ、この最も薄く造られた先端部１２Ｓの接地面部分に、肉厚を約２．０〜２．５ｍｍの断面略円形状（球形状）又は略楕円形状（楕円球形状）に形成されたＲ部１２Ｒが連設されている。
【００３２】
更に上記シールゴム１２の最も薄く造られた先端部１２Ｓには、前記Ｒ部１２Ｒを含めて複数本の切れ目１５…が先端接地面に向けた状態で間隔的に並設形成されている。これ等切れ目１５…の長さは約２０ｍｍが好ましく、また、その並設間隔は約６０ｍｍが好ましいが、これ等の寸法はいずれも実施の一例であることは勿論である。
【００３３】
以上の如く、シールゴム１２は最も肉厚を薄く造った先端部１２Ｓに切れ目１５…を入れ、且つ、その先端接地面にＲ部１２Ｒを形成したことから、シールゴム１２が撓みやすくなって、比較的大きなごみでもシールゴム１２をくぐり易くなるため、シールゴム１２が大きなごみを引きずる問題を解決することができると共に、車体１Ａを逆走する場合にも、Ｒ部１２Ｒによってシールゴム１２が被清掃面ＦＲ上を滑り易くなるため、逆くの字状に折れ曲がる問題を解決することができる。
【図面の簡単な説明】
【００３４】
【図１】本発明に係るダストホッパを備えた床面清掃機の内部構造を説明した側面図。
【図２】本発明に係るダストホッパの構成を説明した側断面図。
【図３】本発明に係るダストホッパの外観を示した斜視図。
【図４】清掃機の内部に取付けられたダストホッパの働きを説明した側断面図。
【図５】従来のダストホッパに取付けたシールゴムが大きなごみを引きずっている状態を示した側断面図。
【図６】清掃機が逆走している時のシールゴムの屈曲状態を説明した従来のダストホッパの側断面図。
【符号の説明】
【００３５】
１            清掃機
４            吸塵ダクト
４Ｈ          集塵ボックス
５            回転ブラシ
６            フイルタ
７            吸引ファン
１０          ダストホッパ
１０Ａ        上面口
１０Ｂ        入口（掃込み口）
１０Ｈ        吸引通路を兼ねるダスト掃込み室
１０Ｆ        狭い吸引通路
１１          上段収納部
１１Ｈ        上段収納室
１２          シールゴム
１２Ｒ        Ｒ部
１２Ｓ        肉薄の先端部
１５          切れ目
ＤＡ          床面上のごみ
ＤＳ          掻き上げられたごみ
ＦＲ          被清掃面
【図１】
2007097638.tif 000003
【図２】
2007097638.tif 000004
【図３】
2007097638.tif 000005
【図４】
2007097638.tif 000006
【図５】
2007097638.tif 000007
【図６】
2007097638.tif 000008